(57)【要約】【課題】画面のギラツキ感（スペックル）を低減することのできるスクリーン及びリアプロジェクタ装置を提供する。【解決手段】光源からの光を略平行光として出射するフレネルレンズシート１と、前記略平行光が入射され画像を表示するレンチキュラレンズ２及び光拡散シート４からなるレンチキュラシートとを備えるスクリーンにおいて、前記光拡散シート４は、高分子マトリクス４１ｍ中に液晶の微小粒子４１ＬＣが分散して固定されている高分子分散液晶層４１が透明導電膜４２ｅを有する２枚の透明基板４２で挟まれてなり、該透明導電膜４２ｅに交流電圧が印加されることを特徴とする。【選択図】図２
2006221069.tif 000002
【特許請求の範囲】
【請求項１】
光源からの光を略平行光として出射するフレネルレンズシートと、前記略平行光が入射され画像を表示するレンチキュラレンズ及び光拡散シートからなるレンチキュラシートとを備えるスクリーンにおいて、
前記光拡散シートは、高分子マトリクス中に液晶の微小粒子が分散して固定されている高分子分散液晶層が透明導電膜を有する２枚の透明基板で挟まれてなり、該透明導電膜に交流電圧が印加されることを特徴とするスクリーン。
【請求項２】
前記交流電圧の周波数は６０Ｈｚ以上であることを特徴とする請求項１に記載のスクリーン。
【請求項３】
前記液晶の微小粒子は、二色性色素を含むことを特徴とする請求項１に記載のスクリーン。
【請求項４】
画像光を投射する光源と、該光源からの投射光を反射する反射ミラーと、該反射ミラーの反射光が背面側から投影される請求項１〜３のいずれか一に記載のスクリーンとを備えることを特徴とするリアプロジェクタ装置。
【発明の詳細な説明】
【技術分野】
【０００１】
本発明は、高分子分散液晶層を有するレンチキュラシートを用い背面からの画像光の照射により画像を表示するスクリーン及びリアプロジェクタ装置に関するものである。
【背景技術】
【０００２】
近年、会議等において発言者が資料を提示する方法としてオーバヘッドプロジェクタやスライドプロジェクタが広く用いられている。また、一般家庭においても液晶を用いたビデオプロジェクタや動画フィルムプロジェクタが普及しつつある。これらのプロジェクタの映写方法は光源から出力された光を、例えば透過形の液晶パネル等によって光変調して画像光を形成し、この画像光をレンズ等の光学系を通して出射してスクリーン上に映写するものである。
【０００３】
例えば、スクリーン上にカラー画像を形成することができるプロジェクタ装置は、光源から出射された光線を赤（Ｒ）、緑（Ｇ）、青（Ｂ）の各色に分離して所定の光路に収束させる照明光学系と、この照明光学系によって分離されたＲＧＢ各色の光束をそれぞれ光変調する液晶パネル（ライトバルブ）と、液晶パネルにより光変調されたＲＧＢ各色の光束を合成する光合成部とを備え、光合成部により合成したカラー画像を投射レンズによりスクリーンに拡大投影するようになっている。
【０００４】
また、最近では光源として狭帯域三原色光源を使用し、液晶パネルの代わりにグレーティング・ライト・バルブ（ＧＬＶ：Grating Light Valve）を用いてＲＧＢ各色の光束を空間変調するタイプのプロジェクタ装置も開発されている。
【０００５】
上述したプロジェクタ装置においては、投影像を見るためにプロジェクタ用スクリーンが用いられる。このプロジェクタ用スクリーンには大別して、スクリーンの表側から投影光を照射して当該投影光のスクリーンでの反射光を見るフロントプロジェクタ用スクリーンと、スクリーンの裏側から投影光を照射してスクリーンを透過した光をスクリーンの表側から見るリアプロジェクタ用スクリーンとがある。いずれの方式においてもスクリーンに表示される映像が高コントラストであることが要求される。
【０００６】
最近のリアプロジェクタ用スクリーンでは、図１に示す様にレンチキュラレンズ２の非集光部に対応したブラックストライプ３を形成することにより、コントラストを改善するものが提案されている（例えば、特許文献１参照。）。
【０００７】
また、リアプロジェクタ装置（背面式プロジェクションシステム）は、手軽に大画面表示が可能なディスプレイとして、米国を中心に根強い人気がある。さらには、近年ＤＶＤ、デジタル放送、ハイビジョン放送など高画質な映像が家庭に入ってくるにつれて、大画面ディスプレイに対する関心が高まり、米国以外の国においても安価なリアプロジェクタ装置が望まれる傾向にある。
【０００８】
ここで、従来のリアプロジェクタ装置はＣＲＴ（カソード・レイ・チューブ）を使ったものが主流であったために、以下の大きな二つの問題があり、普及の障害となってきた。
第一は、全長の長い３本のＣＲＴを使っていたため、ボックス全体が大きくなり、画面以外の部分が大きい、奥行きが大きい等のスペースの問題があり、特に日本の家屋ように部屋の面積が狭い所では普及の妨げになっていた。
第二は、ＣＲＴでは投入エネルギーを大きくしても、蛍光体に起因する輝度飽和という現象が生じ、輝度が大きく出来ないため、画面が暗い、輝度分布が大きい、視野角依存性が大きいといった問題が生じ、普及の妨げになってきた。
【０００９】
近年、液晶やＭＥＭＳ（マイクロメカニカルシステム）等のマイクロディスプレイと放電ランプを組み合わせた新しいリアプロジェクタ装置（マイクロディスプレイタイプリアプロジェクタ）の出現により、上記問題は徐々に解決されてきており、リアプロジェクタ装置が見直される大きな要因となっている。
【００１０】
【特許文献１】特開２００３−１３１３２５号公報
【発明の開示】
【発明が解決しようとする課題】
【００１１】
しかしながら、マイクロディスプレイにより輝度が明るくなるにつれて、今までは問題とされていなかった画面のギラツキ感、所謂スペックルが目立つようになり、その解決がリアプロジェクタ装置の最重要事項となってきた。
【００１２】
本発明は、以上の従来技術における問題に鑑みてなされたものであり、画面のギラツキ感（スペックル）を低減することのできるスクリーン及びリアプロジェクタ装置を提供することを目的とする。
【課題を解決するための手段】
【００１３】
前記課題を解決するために提供する本発明は、光源からの光を略平行光として出射するフレネルレンズシートと、前記略平行光が入射され画像を表示するレンチキュラレンズ及び光拡散シートからなるレンチキュラシートとを備えるスクリーンにおいて、前記光拡散シートは、高分子マトリクス中に液晶の微小粒子が分散して固定されている高分子分散液晶層が透明導電膜を有する２枚の透明基板で挟まれてなり、該透明導電膜に交流電圧が印加されることを特徴とするスクリーンである（請求項１）。
【００１４】
ここで、前記交流電圧の周波数は６０Ｈｚ以上であることが好ましい。
また、前記液晶の微小粒子は二色性色素を含むことが好ましい。
【００１５】
前記課題を解決するために提供する本発明は、画像光を投射する光源と、該光源からの投射光を反射する反射ミラーと、該反射ミラーの反射光が背面側から投影される請求項１〜３のいずれか一に記載のスクリーンとを備えることを特徴とするリアプロジェクタ装置である（請求項４）。
【発明の効果】
【００１６】
本発明のスクリーンによれば、高分子分散液晶層中の液晶の配向状態を交流電圧印加で変化させて、光拡散シートの拡散特性・透過特性を経時的に変化させることができる。ここで、印加する交流電圧の周波数をフリッカ知覚として感知しない周波数以上とすることにより、重畳される表示画像のちらつきをなくすことができる。また、二色性色素、とくに白色色素を液晶の微小粒子に含ませることにより、光の拡散特性、透過特性をよりコントロールすることができ、見やすい表示画像を実現することができる。
本発明のリアプロジェクタ装置によれば、前記光拡散シートの拡散特性・透過特性の高速の経時的変化により、光の干渉によって生じる光の強弱パターンの経時的変化を重畳して表示することになり、表示画像を均質化でき、ギラツキ感（スペックル）を低減することができる。
【発明を実施するための最良の形態】
【００１７】
従来のリアプロジェクタ装置に使用されるスクリーンの構成を図１に示す。
スクリーン９０は、プロジェクタ光源から投射された光を画面に垂直に向け、画面の輝度を均一にするフレネルレンズシート１と、レンチキュラレンズ２・ブラックストライプ３・光拡散シート９からなり、前記光を視聴者の方向に向けるレンチキュラシートとから構成されている。さらには、表面反射を低減し、高級感を上げる前面化粧板５をつけたモデルも存在する。
【００１８】
前記レンチキュラシートには、通常プロジェクタ光源からの光を無駄なく視聴者の方向に向けるレンチキュラレンズ２の作用の他に、ブラックストライプ３により外光を低減する作用、プロジェクタ光源からの光を光拡散シート９により拡散／結像する作用の３つがある。
【００１９】
ここで、光拡散シート９は、一般に基板材と屈折率の異なるガラスあるいはプラスチックの微粉末を基板材上に塗布、あるいは基板材に直接練り込んだものが用いられている。ところが、この光拡散シート９によりそこから出射される光が干渉して画面における光の強弱が生じてしまい、結果的にギラツキ感となり視認性を悪くしていた。
発明者は、この問題を解決すべく鋭意検討を行い、本発明を成すに至った。
【００２０】
以下に、本発明に係るスクリーンについて説明する。
図２は、本発明に係るスクリーンの構成を示す断面図である。
図２（ａ）に示すように、スクリーン１０は、背面側（光源側）から順にフレネルレンズシート１、レンチキュラレンズ２、ブラックストライプ３、光拡散板シート４、前面化粧版５が設けられた構成である。本発明は従来のスクリーンにおける光拡散シート９に代えて、拡散状態の動的な切り替えが可能な光拡散シート４を設けたことを特徴とする。なお、レンチキュラレンズ２、ブラックストライプ３、光拡散板シート４を組み合わせたものをレンチキュラシートと称する。
【００２１】
フレネルレンズシート１は、光源から投射される画像光を平行光にしてレンチキュラレンズに入射させるものであり、リアプロジェクタ装置用のスクリーンにおいて従来公知のものでよい。
【００２２】
レンチキュラレンズ２は、フレネルレンズシート１から出射された平行光を集光して無駄なく視聴者の方向に向けるものであり、リアプロジェクタ装置用のスクリーンにおいて従来公知のものでよい。
【００２３】
ブラックストライプ３は、高コントラストの映像を得るための遮光層となるものである。
【００２４】
光拡散シート４は、図２（ｂ）に示すように、高分子マトリクス４１ｍ中に液晶の微小粒子４１ＬＣが分散して固定されている高分子分散液晶層４１と、該高分子分散液晶層４１を挟む、透明導電膜４２ｅを有する２枚の透明基板４２とからなり、電源Ｅから透明導電膜４２ｅに交流電圧が印加される構成となっている。
【００２５】
高分子分散液晶層４１は、いわゆる高分子分散液晶材料（ＰＤＬＣ（Polymer Dispersed Liquid Crystal））で構成され、高分子材料と液晶とを含む溶液を用いてカプセル化法、重合相分離法、熱相分離法、溶媒蒸発相分離法などにより、高分子材料からなるマトリクス４１ｍ中に液晶の微小粒子４１ＬＣが分散して固定されている状態に形成されたものである。
【００２６】
高分子マトリクス４１ｍを構成する材料は、透明な高分子材料であればとくに制限されないが、その屈折率が微小粒子４１ＬＣを構成する液晶の常光線に対応する屈折率と略一致していることが好ましい。このような光学材料としての適性からアクリル系樹脂であることが好ましい。
【００２７】
液晶の微小粒子４１ＬＣの形状は、球形、液滴形状、ラグビーボール形状等とくに限定されない。また、の微小粒子４１ＬＣを構成する材料（液晶）は、高分子分散液晶材料（ＰＤＬＣ）に使用可能なものであればとくに限定されない。例えば、一般的に使用されているネマティック液晶、コレステリック液晶などの液晶材料でよい。このとき、光拡散シート４に適した拡散特性、透過特性が得られるように、この液晶の置換基や合成方法などの調整によりΔｎ（屈折率異方性の指標）をコントロールすることが好ましい。本発明で使用可能な液晶の化合物の構造式を以下に例示する。
【００２８】
【化１】
2006221069.tif 000003
【００２９】
高分子分散液晶層４１は、その厚みを大きくすると拡散性がよくなり、透過性が悪くなり結像の効果は大きくなるが、液晶の配向の応答性が悪くなる、必要な印加電圧が大きくなる等の欠点も出てくる。５〜５０μｍの厚み範囲内であることが好ましい。
【００３０】
透明基板４２は、透明のベース基板４２ｂ上に透明導電膜４２ｅが形成されたものである。ベース基板４２ｂは透明の高分子フィルムやガラスなどでよく、透明導電膜４２ｅは例えばインジウム錫酸化物（ＩＴＯ）の薄膜でよい。
【００３１】
図３は、電源Ｅから透明導電膜４２ｅへの交流電圧印加有無による高分子分散液晶層４１の状態を示す模式図である。
電源Ｅから透明導電膜４２ｅへの交流電圧印加ありの場合（ＯＮ状態、図３（ａ））、印加する交流電圧（実効電圧）が十分大きいとき、微小粒子４１ＬＣを構成する液晶のもつ誘電率異方性により、該液晶は２つの透明導電膜４２ｅ間に生じる電界に対して垂直方向に配向し、その結果、高分子分散液晶層４１は入射光のすべての波長の光を透過する状態となる。
【００３２】
一方、電源Ｅから透明導電膜４２ｅへの交流電圧印加なしの場合（ＯＦＦ状態、図３（ｂ））、微小粒子４１ＬＣを構成する液晶の接している壁（高分子マトリクス４１ｍ）の拘束力が支配的に働き、該液晶はランダムに配向され、入射光の一部を拡散あるいは反射する状態となる。
【００３３】
本発明では、電源Ｅから透明導電膜４２ｅへ交流電圧を印加することにより、微小粒子４１ＬＣを構成する液晶の配向状態を前記ＯＮ状態（図３（ａ））と前記ＯＦＦ状態（図３（ｂ））との間で高速で変化させ、光拡散シート４の拡散特性・透過特性を経時的に変化させることができる。
【００３４】
また、本発明では光拡散シート４の拡散特性・透過特性が経時的に変化していればよいので、微小粒子４１ＬＣを構成する液晶の配向状態は、必ずしも前記ＯＮ状態（図３（ａ））、及び／または前記ＯＦＦ状態（図３（ｂ））となる必要はなく、前記ＯＮ状態（図３（ａ））と前記ＯＦＦ状態（図３（ｂ））との中間の状態を中心として液晶の配向が経時的にわずかに変化するものであってもよい。これは、高分子分散液晶層４１の構成材料、厚み、微小粒子４１ＬＣの分散状態、交流電圧の印加条件（電圧値（例えば実効値として５Ｖ程度）、周波数）などにより調整することができる。
【００３５】
上述のように、光拡散シート４の拡散特性・透過特性が経時的に変化することにより、この経時的変化に対応して無数の異なる散乱パターンが生じることとなる。その結果、スクリーン１０の背面から投影される映像も散乱パターンそれぞれにより異なる結像パターンが生じ、これらの結像パターンが重畳されて表示されることにより、表示画像は均質化され、従来問題であったギラツキ感（スペックル）が低減されるようになる。
【００３６】
また、交流電圧の周波数は６０Ｈｚ以上であることが好ましい。交流電圧の周波数は上記液晶の配向状態のスイッチング周波数ともいえ、この周波数が６０Ｈｚよりも小さいと表示される画像のちらつきが認められるようになり、視認性が悪くなる。これは、輝度１５０〜２００ｃｄ／ｍ２の画面に対してフリッカを感じさせないためには空間周波数として６０Ｈｚ以上必要とする報告（ＮＨＫ技研月報  １８，１１、ｐ．６６１〜６６８；視覚の空間周波数特性）とも一致する。
【００３７】
また、液晶の微小粒子に、二色性色素を含ませることにより、光拡散シート４の拡散特性・透過特性のコントロールがより容易となり好ましい。
【００３８】
その一例を図４に示す。ここでは、高分子マトリクス４１ｍ中に液晶ＬＣ及び二色性色素ｐからなる微小粒子４１ＬＣｐを分散させ固定して高分子分散液晶層としている。
電源Ｅから透明導電膜４２ｅへの交流電圧印加ありの場合（ＯＮ状態、図４（ａ））、微小粒子４１ＬＣｐを構成する液晶は図３（ａ）の場合と同様に２つの透明導電膜４２ｅ間に生じる電界に対して垂直方向に配向され、それに伴って二色性色素ｐも同様に配向される。その結果、高分子分散液晶層４１は入射光のすべての波長の光を透過する状態となる。
【００３９】
一方、電源Ｅから透明導電膜４２ｅへの交流電圧印加なしの場合（ＯＦＦ状態、図４（ｂ））、微小粒子４１ＬＣｐを構成する液晶は図３（ｂ）の場合と同様にランダムに配向され、それに伴って二色性色素ｐも同様にランダム配向される。その結果、入射光の一部を拡散あるいは反射する状態となる。
【００４０】
このように二色性色素を含む場合も交流電圧の印加有無により透過と散乱の状態をつくることができることから、光拡散シート４の拡散特性・透過特性を経時的に変化させることが可能であり、従来問題であったギラツキ感（スペックル）を低減することができる。
【００４１】
本発明のスクリーンにおける光拡散シート４は、例えばつぎのように作製するとよい。ここでは重合相分離法による例を示す。
（Ｓ１１）高分子マトリクス４１ｍの原料材料（重合性のモノマーまたはオリゴマー）で液晶（ネマティック液晶。例えば、p-alkyle-p’-alkoxyazoxybenzene）を溶解し、溶液を作製する。具体的には容器に高分子マトリクス４１ｍの原料材料と液晶を所定体積比で入れ、攪拌器を用いて均一になるまで攪拌して溶融させる。
【００４２】
なお、高分子マトリクス４１ｍの原料材料は、液晶への溶解性、耐久性を有することが重要であり、例えば紫外線照射により架橋高分子化反応がおこる紫外線硬化タイプのモノマーが好ましい。
また、樹脂と液晶の混合体積比は５０:５０が標準であるが、樹脂と液晶の混合において、液晶の混合比を増加するにつれて拡散性が増加し、透過性が悪くなる傾向にあり、結像性能に基づいて当該混合比を設定するとよい。
【００４３】
（Ｓ１２）前記溶液を透明導電膜４２ｅが形成されている透明基板４２上にドクターブレード法などにより均一な厚みで塗布する。
（Ｓ１３）塗膜の上にもう一方の透明基板４２を透明導電膜４２ｅが塗膜に接するように配置し、スペーサを介して２枚の透明基板が塗膜を挟みこんだ状態にする。なお、前記スペーサにより高分子分散液晶層４の厚みを調整すればよい。
（Ｓ１４）透明基板４２のいずれか一方の外側から紫外線を照射して紫外線硬化モノマーを光重合させる。紫外線照射は該光重合が必要十分に行われる条件がよく、例えば１５ｍＷ／ｃｍ２で６０秒程度とするとよい。これにより、高分子マトリクス４１ｍ中に液晶の微小粒子４１ＬＣが分散して固定されている高分子分散液晶層４１が形成される。
（Ｓ１５）透明基板４２の透明導電膜４２ｅに電源Ｅから電圧を印加するための電極を取り付けて光拡散シート４を完成する。
【００４４】
なお、図４に示したような高分子マトリクス４１ｍ中に液晶ＬＣ及び二色性色素ｐからなる微小粒子４１ＬＣｐを分散させ固定した高分子分散液晶層を有する光拡散シートを作製する場合には、前記ステップＳ１１において、予め二色性色素を溶かしこんだ液晶を、紫外線硬化モノマーに溶解させる。このとき、二色性色素の液晶に溶け込む量は液晶の種類によって異なるが、多く溶かし込んだほうが光散乱（図４（ｂ））のときの白色化の効果が大きくなる。
【００４５】
また、本発明のスクリーンにおける光拡散シート４は、つぎのように作製してもよい。
（Ｓ２１）前記ステップＳ１１と同様に、紫外線照射により架橋高分子化反応がおこる紫外線硬化タイプのモノマーで液晶（ネマティック液晶。例えば、p-alkyle-p’-alkoxyazoxybenzene）を溶解し、溶液を作製する。
（Ｓ２２）透明基板４２として、レンチキュラレンズ２の平坦面側に透明導電膜４２ｅを形成したものを用い、この上に前記溶液をドクターブレード法などにより均一な厚みで塗布する。
（Ｓ２３）前記塗膜に紫外線を照射して紫外線硬化モノマーを光重合させ、高分子分散液晶層４を形成する。
（Ｓ２４）前記高分子分散液晶層４上にスパッタリング法等により透明導電膜４２ｅを形成する。
（Ｓ２５）それぞれの透明導電膜４２ｅに電源Ｅから電圧を印加するための電極を取り付けて光拡散シートを完成する。この場合は前面化粧版５が配置される前提の構成である。
【００４６】
この製造方法により、前記透明基板４２におけるベース基板４２ｂを省略することができるので、光学界面による光のロスを低減することができる。
【００４７】
なお、前面化粧版５は、傷付きを防止するための保護層と、従来公知の反射防止膜とを有するものである。
【００４８】
次に、本発明に係るリアプロジェクタ装置について説明する。
【００４９】
上記構成のスクリーン１０をリアプロジェクタ装置に適用した例を図５に示す。
リアプロジェクタ装置１００は、画像光を投射する光源（光学エンジン）１１と、光源１１からの投射光（プロジェクタ光）ＬＰを反射する反射ミラー１２と、反射ミラー１２の反射光ＬＲが背面側から投影され、映像光Ｌｉとして観察者側に放射する上記構成のスクリーン１０とを備えている。
【００５０】
光源１１は、通常のリアプロジェクタ装置の光源として用いられているものであればよく、赤色（Ｒ）、緑色（Ｇ）、青色（Ｂ）の三原色の各色の波長領域を含む光を用いて画像光を投射するものであることが好ましい。また、選択透過フィルター２において透過する波長領域はできるだけ狭いほうがよいことから、輝度ピークの半値幅が狭い特性をもつ光源がとくに好ましい。例えば、プロジェクタ用液晶ディスプレイデバイス（ＬＣＤ、ＳＸＲＤ）、ＧＬＶ、陰極線管（ＣＲＴ）、ＬＥＤのいずれかと、それに対応した照明光学系とを備えたものが挙げられる。
【００５１】
反射ミラー１２は、画像光であるプロジェクタ光ＬＰを反射して、スクリーン１０に投射するものであり、リアプロジェクタ装置において従来公知のものでよい。
【００５２】
リアプロジェクタ装置１００では、光源１１からの画像光であるプロジェクタ光ＬＰは、反射ミラー１２を経由してスクリーン１０の背面側に投射され、フレネルレンズシート１で平行光とされた後にレンチキュラレンズ２に入射される。ついで、レンチキュラレンズ２で平行光は集光され無駄なくブラックストライプ３を通過して光拡散シート４に入射する。光拡散シート４で入射した光は拡散され、前面化粧版５を透過して映像光Ｌｉとして観察者側に到達する。
【００５３】
ここで、光拡散シート４には所定の交流電圧が印加されており、経時的に拡散特性が変化しているため、この経時的変化に対応して無数の異った散乱状態の結像パターンが生じ、これらの結像パターンが重畳されて表示されることにより、表示画像は均質化され、ギラツキ感（スペックル）が低減されるようになる。
【実施例】
【００５４】
以下に、本発明の実施例について説明する。
（１）サンプル作製条件
（Ｓ３１）以下の材料を高分子原料材料：液晶を重量比として１０：９０〜３０：７０の範囲で変化させて相溶させて溶液を調製した。
・高分子原料材料（モノマー）；日本化薬製ＨＸ−６２０（Caprolacton-modhified hydroxyl pivalic acid ester neopentyglycol diacrylate）
・重合開始剤；メルク製Darocure 1173(2-hydroxy-2-methyl-1-phenylpropan-1-one)
・液晶（ネマティック液晶）；下記構造式のピリジン系（pyridine derivatives）
【００５５】
【化２】
2006221069.tif 000004
【００５６】
（Ｓ３２）前記溶液を透明導電膜４２ｅが形成されている透明基板４２上にドクターブレード法により均一な厚みで塗布した。
（Ｓ３３）塗膜の上にもう一方の透明基板４２を透明導電膜４２ｅが塗膜に接するように配置し、スペーサを介して２枚の透明基板４２が塗膜を挟みこんだ状態にする。なお、スペーサにより透明基板４２の間隔を１１μｍとした。
（Ｓ３４）一方の透明基板４２の外側から１００ｍＷ／ｃｍ２以下の紫外線を照射して紫外線硬化モノマーを光重合させた。これにより、高分子マトリクス４１ｍ中に液晶の微小粒子４１ＬＣが分散して固定されている高分子分散液晶層４１が形成された。
（Ｓ３５）透明基板４２の透明導電膜４２ｅに電源Ｅから電圧を印加するための電極を取り付けて光拡散シート４を完成する。
この光拡散シート４を用いて、図２に示すスクリーンを作製した。
【００５７】
（２）サンプル評価
上記サンプルスクリーンを用いて、高分子分散液晶層４に実効電圧値５Ｖ、周波数６０Ｈｚの交流電圧を印加した状態でスクリーン背面からプロジェクタ用液晶ディスプレイデバイス（ＳＸＲＤ）を光源とする映像光を投射し、正面から観察した。比較として図１に示す従来のスクリーン（比較スクリーン）も同様に観察を行った。
【００５８】
その結果、すべてのサンプルスクリーンで比較スクリーンよりもギラツキの低減が認められた。高分子分散液晶層４を６０Ｈｚの交流電圧でドライブさせた場合、最低でも１秒間に６０枚（移行状態を含めるとさらに多くの枚数）の異なる液晶パターンが存在し、これらが重なって観察されることになる。ここで、スペックルコントラスト（強度）Ｃは以下の式より約８分の１（６０のルート分の１以下）になっているものと推定され、上記感応試験結果とよく合致した。
【００５９】
Ｃ＝Ｃ０／（ｎ１／２）
（ここで、ｎ；重畳パターン数、Ｃ０；オリジナルスペックルコントラスト）
【図面の簡単な説明】
【００６０】
【図１】従来のスクリーンの構成を示す断面図である。
【図２】本発明に係るスクリーンの構成を示す断面図である。
【図３】高分子分散液晶層の状態を示す概略図である。
【図４】二色性色素を含む高分子分散液晶層の状態を示す概略図である。
【図５】本発明に係るリアプロジェクタ装置の構成を示す断面図である。
【符号の説明】
【００６１】
１・・・フレネルレンズシート、２・・・レンチキュラレンズ、３・・・ブラックストライプ、４・・・光拡散シート、４１・・・高分子分散液晶層、４１ＬＣ、４１ＬＣｐ・・・液晶の微小粒子、４１ｍ・・・高分子マトリクス、４２・・・透明基板、４２ｂ・・・ベース基板、４２ｅ・・・透明導電膜、５・・・前面化粧版、１０・・・スクリーン、１１・・・光源、１２・・・反射ミラー、１００・・・リアプロジェクタ装置、Ｅ・・・電源、ＬＣ・・・液晶、ｐ・・・二色性色素
【図１】
2006221069.tif 000005
【図２】
2006221069.tif 000006
【図３】
2006221069.tif 000007
【図４】
2006221069.tif 000008
【図５】
2006221069.tif 000009